(57)【要約】【課題】  ローパーティションの入口に取付けられるスライドドアであって、安定してスライド開閉することが出来ると共に、ローパーティションの外観が損なわれないスライドドアの提供。【解決手段】  入口２を挟んで一方側パネル１ｂの上桟１１と下桟１２にはスライドレール１３，１３を取着し、このスライドレール１３にスライドドア３をスライド可能に取付け、そしてスライドドア３の上桟６の戸先側には戸当り１８を取着し、該戸当り１８は戸先側パネル１ａの側桟１９に当接して停止できるようにしている。【選択図】    図５
2008007942.tif 000002
【特許請求の範囲】
【請求項１】
ローパーティションの入口正面側に取付けられるスライドドアにおいて、入口を挟んで据付けた一方側パネルの上端部と下端部にはスライドレールを取着し、このスライドレールにスライドドアをスライド可能に取付け、該スライドレールはパネルの上端部及び下端部に固定されるパネル側レール、ドアの上端部と下端部に固定されるドア側レール、及び両レールの間に複数の球やコロを介在した中レールにて構成し、スライドドアの戸先側上端部には戸当りを取着し、該戸当りは内側へ延びて戸先側パネルの側端に当接してスライドドアが停止できるようにしたことを特徴とするローパーティション用スライドドア。
【請求項２】
上記戸当りの当り部には緩衝ゴムを取付けた請求項１記載のローパーティション用スライドドア。
【発明の詳細な説明】
【技術分野】
【０００１】
本発明は大きな部屋内部に小さな仕切り空間として設けられるローパーティションの入口に装着されるスライドドアに関するものである。
【背景技術】
【０００２】
オフィス空間内には、会議室や打合せ室などを作る為にローパーティションを設置して小さな空間を形成する場合が多い。該ローパーティションは背丈程度の高さのパネルをスタッドを介して垂直に起立・配列して構成されるが、該ローパーティションにて形成される空間へ出入りする為の入口が設けられ、この入口にスライドドアを装着することがある。勿論、スライドドアを設けることなく開口状態にされることも多い。
【０００３】
特開平１０−３０６５２７号に係る「自閉式引戸を備えた自立設置型パーテイション」は、スライドドアを装着したローパーティションである。床上に自立して設置されるパーテイションにおいて、パーテイションの輪郭を構成する枠体の一部の領域を開放として通行用開口部を形成するとともにこの枠体の上部枠に水平方向のレールを設置し、このレールに前記通行用開口部を開閉する引戸の上端に取付けた懸吊用車輪を引戸に閉方向への付勢を与えて懸吊支持し、前記枠体および引戸には該引戸の開放時に互に係合して開放位置に保持するキャッチャを設けている。
【０００４】
上記スライドドアは一般的な間仕切り装置の入口に装着されているものと同じであり、上レールにスライドドアを吊設してスライド可能とした構造である。上レールは上部枠に取付けられているが、上部枠を高くしなくては人の出入りが出来ないことになり、その為にローパーティションといっても非常に背丈の高いものに限られる。従って、一般に背丈程度のパネルを据え付けて構成されることが多いローパーティションでは、上記構造にてスライドドアを装着することは出来ない。
【０００５】
一般的なローパーティションでは、上部枠を備えることなくスライドドアを装着することが要求され、その為にスライドレールを介して取付けたローパーティションが知られている。特開２００６−３７６０８号に係る「ローパーティション用スライドドア」は、入口を挟んで一方側パネルの上桟と中桟にはスライドレールを取着し、このスライドレールにスライドドアをスライド可能に取付け、該スライドレールはパネルの上桟及び中桟に固定されるパネル側レール、ドアの上桟と中桟に固定されるドア側レール、及び両レールの間に複数の球やコロを介在した中レールにて構成している。
【０００６】
ところで、上記スライドドアを閉じる場合、該スライドドアはスライドレールに沿ってスライドするが、戸当りが無いためにスライドレールのスライドエンドまでスライドして停止するように構成している。勿論、スライドレールにはスライド可能な距離が定められていて、それ以上のスライドは出来ない構造と成っていることから、スライドドアは入口を閉じたところで停止することは可能である。しかし、スライドドアのスライドに伴う慣性力がスライドレールのスライドエンドに作用して大きな負担となる。特に、スライドドアの質量が大きくなると、スライドレールが損傷する虞がある。
【特許文献１】特開平１０−３０６５２７号に係る「自閉式引戸を備えた自立設置型パーテイション」
【特許文献２】特開２００６−３７６０８号に係る「ローパーティション用スライドドア」
【発明の開示】
【発明が解決しようとする課題】
【０００７】
このように、従来のローパーティション用スライドドアには上記のごとき問題がある。本発明が解決しようとする課題はこの問題点であり、上レールなくしても安定した開閉操作が出来ると共に、スライドレールのスライドエンドに負担をかけることなく停止することが出来るように戸当りを取付けたスライドドアを提供する。
【課題を解決するための手段】
【０００８】
本発明に係るローパーティションのスライドドアは所定の間隔を設けて据付けたパネル間の入口に装着されて、スライドすることで該入口を開閉することが出来る。そして、本発明では吊車の代わりにスライドレールを使用し、スライドドアの上端部及び下端部に該スライドレールを取付けている。ここで、スライドレールはパネル側レール、ドア側レール、及び中レールの３本組で構成され、これら３本のレールが互いにスライド伸縮することが出来る構造と成っている。
【０００９】
そして、本発明ではスライドドアの戸先側上端部には戸当りが取着され、この戸当りはスライドドアが閉じた際に戸先側パネルの側桟に当るように構成している。一般的な間仕切り装置は入口の戸先側パネルに面して戸当り部材を起立して設け、この戸当り部材にスライドドアの戸先が当る構造としているが、本発明では戸当り部材を起立して設けることなくスライドドアの戸先側上端部に小さな戸当りを取着しただけの構造である。
【００１０】
スライドドアは入口正面側に装着され、戸当りは該スライドドアの内側に取着されてローパーティションを構成する戸先側パネルの側桟に当る位置に設けられている。戸当りの当り面には緩衝材が取付けられて、スライドドアの戸当りが当って停止した際の衝撃を緩和している。
【発明の効果】
【００１１】
本発明のスライドドアは水平な２本のスライドレールにて支持される為に、安定した開閉操作を行うことが出来る。そして、スライドレールはパネル側レールとドア側レール、及び中レールの３本の組合せで構成されて、互いにスライドして伸縮する為に、入口を閉じる為にスライドドアがパネルから引き出されても、スライドドアの支持強度は高くて安定する。
【００１２】
そして、スライドドアの戸先側上端部には戸当りが取付けられているために、スライドドアがスライドして入口を閉じる場合、該戸当りが入口の戸先側パネルの側桟に当って停止することが出来る。従って、スライドドアが停止する際の慣性力が最も伸びた状態となるスライドレールのスライドエンドに作用することはなく、その為にスライドレール耐久性は向上する。又、本発明のスライドドアはスライドレールを介してスライド出来るように取付けられている為に、スライドドアを吊設する上レールを必要とせず、入口には上レールが取付けられる笠木は不要となり、背丈の低いパネルでローパーティションが構成できる。
【実施例】
【００１３】
図１は本発明に係るローパーティションの入口部を示す外観図であり、スライドドア３は後退して入口２は開いている。同図において１ａ，１ｂ・・はローパーティションを構成するパネルを表し、パネル１ａ，１ｂの間には入口２が形成され、この入口２を開閉する為のスライドドア３がパネル１ｂの正面側に取付けられている。図２はスライドドア３が前進して入口２がほぼ閉じた場合である。本発明のローパーティションでは、入口の両パネル１ａ，１ｂに跨る笠木は備えていない。従って、パネル１ａ，１ｂ・・の背丈が低くても該入口２からの出入りは笠木が邪魔になることなく自由である。
【００１４】
ところで、ローパーディションを構成するパネル１ａ，１ｂ・・は、両縦桟と上桟、下桟、及び中桟を枠組みした枠体にパネル板４，４、９，９・・を取付けて構成している。ここで、パネル板４はペーパーコアを芯材として構成され、パネル板９はガラス板で構成している(図３参照)。そして、スライドドア３は、両縦桟５，５と上桟６、下桟７、及び複数の中桟８，８・・を枠組みした枠体に樹脂製のパネル板１０，１０・・を嵌めて構成している。
【００１５】
本発明のスライドドア３は２本のスライドレールに取付けられることから、パネル１ａ，１ｂ・・に比較して軽い構造としている。勿論、本発明ではローパーティションを構成するパネル１ａ，１ｂ・・、及びスライドドア３の構成を同図に示す形態に限定するものではない。
【００１６】
ところで、上記スライドドア３はパネル１ｂに取付けられてスライド可能と成っている。パネル１ｂの上桟１１と下桟１２にスライドレールが取着され、このスライドレールにスライドドア３が取付けられている。すなわち、スライドレールを介してパネル１ｂにスライドドア３が取付けられ、スライドレールの伸縮スライドに伴ってスライドドア３がスライドして入口２を開閉することが出来る。
【００１７】
図３は図１のＡ−Ａ断面拡大図であり、２本のスライドレール１３，１３は上桟１１と下桟１２に取着されている。このスライドレール１３，１３はパネル側レール１４とドア側レール１５、及び中レール１６の３本レールの組み合わせで構成され、各レール間には複数の小さな球１７，１７・・が介在して互いに伸縮スライド可能と成っている。
【００１８】
図４は図３のＢ部拡大図を示し、パネル側レール１４は上桟１１にネジ止めされ、ドア側レール１５はスライドドア３の上桟６にネジ止めされている。そして、上記パネル側レール１４とドア側レール１５の間には概略Ｈ型断面の中レール１６が配置され、パネル側レール１４と中レール１６の間、及びドア側レール１５と中レール１６の間には複数の球１７，１７・・が配列されている為に、各レールは互いにスムーズにスライド可能と成っている。
【００１９】
例えば、図１に示すようにスライドドア３が後退して入口２が開口している状態から、図２に示すようにスライドドア３を前進させて入口２を閉じる場合には、スライドドア３はドア側レール１５と共に中レール１６との間に設けている球１７，１７・・を介してスライドすることが出来る。ドア側レール１５がスライドして中レール１６の先端に当たったところで、中レール１６はドア側レール１５に引っ張られてスライドすることが出来る。ただし、スライドドア３のスライドに伴う中レール１７のスライド運動は、ドア側レール１５とパネル側レール１４とのスライド摩擦抵抗の大きさに左右され、摩擦抵抗の大きい方に引かれてスライドする。
【００２０】
図５はローパーティションの入口部付近の平面図を表しているが、(ａ)はスライドドア３が閉じている場合、(ｂ)はスライドドア３が開いている場合を表している。(ｂ)のようにスライドドア３が開いている場合には、３本のレールが互いに重なり合って縮まっている。そして、(ａ)に示すようにスライドドア３が前進して入口２を閉じた場合であり、スライドレール１３は伸長して３本のレール(ドア側レール１５、パネル側レール１４、及び中レール１６)は位置ズレし、一部が重なり合った状態にある。
【００２１】
そして、本発明ではスライドドア３の戸先側上端部に戸当り１８を取着している。(ａ)に示すようにスライドドア３が閉じた場合には、該戸当り１８はパネル１ａの側桟に当接して停止することが出来る。すなわち、スライドレール１３が伸びきって、スライドエンドにて停止することがないように戸当り１８を設けている。
【００２２】
戸当り１８はスライドドア３の内側に取着され、その為にローパーティションの正面側からは見えない位置にある。図６は戸当り１８がパネル１ａの側桟１９に当ってスライドドア３が停止した場合の詳細図である。戸当り１８は図７に示しているように金属板を曲げ成形したものであり、取付け部２０がスライドドア３の上桟６にネジ止めされている。そして当り部２１には緩衝ゴム２２が固定され、パネル１ａの側桟１９に当った際の衝撃を緩和することが出来る。
【００２３】
ここで、上記側桟１９はパネル１ａの縦桟に取付けられ、スライドドア３の上桟６に取着されて内側へ延びた当り部２１に固定した緩衝ゴム２２は側桟１９に当接することが出来るように成っている。そして、戸当り１８はスライドドア３とは独立して製作した部品である為に、スライドドア３の上桟６の適当な戸先側位置にネジ止めすることで、閉鎖状態を最適に設定できる。
【００２４】
スライドドア３はその戸当り１８がパネル側桟１９に当って停止する為に、スライドレール１３にはスライドドア３の停止に伴う慣性力が作用することはない。そして、該ローパーティションのパネル１ａの表面側には、一般的な間仕切り装置の入口に起立する戸当り部材は存在せず、外観的にも好ましい意匠と成る。
【図面の簡単な説明】
【００２５】
【図１】スライドドアが開いた場合のローパーティションの入口部。
【図２】スライドドアが閉じた場合のローパーティションの入口部。
【図３】図１のＡ−Ａ断面拡大図。
【図４】図３のＢ部拡大図。
【図５】ローパーティションの入口部付近の平面図。
【図６】スライドドアの戸当りがパネル側桟に当って停止した場合。
【図７】戸当りの具体例。
【符号の説明】
【００２６】
１  パネル
２  入口
３  スライドドア
４  パネル板
５  縦桟
６  上桟
７  下桟
８  中桟
９  パネル板
10  パネル板
11  上桟
12  下桟
13  スライドレール
14  パネル側レール
15  ドア側レール
16  中レール
17  球
18  戸当り
19  側桟
20  取付け部
21  当り部
22  緩衝ゴム
【図１】
2008007942.tif 000003
【図２】
2008007942.tif 000004
【図３】
2008007942.tif 000005
【図４】
2008007942.tif 000006
【図５】
2008007942.tif 000007
【図６】
2008007942.tif 000008
【図７】
2008007942.tif 000009